(57)【特許請求の範囲】
【請求項１】
中央仕切板によって内部を上部収納部と下部収納部に分けて成る容器本体と、前記上部収納部に取り付けた棚板と、前記下部収納部に出し入れ可能に取り付けた単数又は複数の引出し部と、前記上部収納部の前面部を覆うために前記容器本体にヒンジ装置を介して開閉可能に取り付けられた内側に単数又は複数の収納棚部を設けたドア部と、前記容器本体の後部に収容させた電源と、前記上部収納部、前記引出し部、及び前記収納棚部に出し入れ可能に収納される複数の飲食料材を模した飲食料材玩具と、少なくとも前記ドア部の開閉操作によって前記上部収納部内を照明する第２点灯手段と、前記ドア部に設けた単数又は複数の押ボタン部材を操作することにより鳴音を発生する鳴音発生手段と、前記単数又は複数の押ボタン部材を操作することにより点灯する前記ドア部に設けた第１点灯手段とを有し、この第１点灯手段は、前記ドア部に取り付けた光透過性材質のカバーの後にランプを取り付けたもので構成すると共に、前記容器本体側に設けた前記電源と前記ドア部側に設けた前記押ボタン部材及び第１点灯手段との間を前記ヒンジ装置内を通した導線で電気的に接続させたことを特徴とする、冷蔵庫玩具。
【請求項２】
前記カバーは、その表面にキャラクター人形その他の人形を表示するか、或はキャラクター人形その他の人形を模って形成してあることを特徴とする、請求項１に記載の冷蔵庫玩具。
【請求項３】
前記押ボタン部材は、キャラクター人形その他の人形を表示するか、或はキャラクター人形その他の人形を模って形成してあることを特徴とする、請求項１に記載の冷蔵庫玩具。
【発明の詳細な説明】
【０００１】
【発明の属する技術分野】
この発明は、さまざまな機能を装備した冷蔵庫玩具に関する。
【０００２】
【従来の技術】
従来、主として女児用の玩具としては、人形が主体であるが、この人形を使った人形遊びは人形本体に加えてその周辺玩具を充実させることによってさらに人形遊びの幅が広がり、女児の空想を拡大させ、より楽しい遊びを演出できるため、家具や台所の備品を模した周辺玩具の充実が望まれている。そのための一つとして、台所の必需品である冷蔵庫玩具が例えば実開平５−４１５９７号公報で公知である。
【０００３】
【発明が解決しようとする課題】
しかるに、この従来公知の冷蔵庫玩具は、人形の周辺玩具とする点に重点が置かれ、実際に市販されている家電としての冷蔵庫の機能や外観に似せることに終始しているため、冷蔵庫玩具それ自体を玩具として楽しむという発想に欠けているきらいがあった。
【０００４】
この発明の目的は、人形遊びの周辺家具としては勿論のこと、冷蔵庫玩具単体としても玩具として楽しむことのできる、冷蔵庫玩具を提供せんとするにある。
【０００５】
【課題を解決するための手段】
上述した目的を達成するために請求項１の発明は、中央仕切板によって内部を上部収納部と下部収納部に分けて成る容器本体と、前記上部収納部に取り付けた棚板と、前記下部収納部に出し入れ可能に取り付けた単数又は複数の引出し部と、前記上部収納部の前面部を覆うために前記容器本体にヒンジ装置を介して開閉可能に取り付けられた内側に単数又は複数の収納棚部を設けたドア部と、前記容器本体の後部に収容させた電源と、前記上部収納部、前記引出し部、及び前記収納棚部に出し入れ可能に収納される複数の飲食料材を模した飲食料材玩具と、少なくとも前記ドア部の開閉操作によって前記上部収納部内を照明する第２点灯手段と、前記ドア部に設けた単数又は複数の押ボタン部材を操作することにより鳴音を発生する鳴音発生手段と、前記単数又は複数の押ボタン部材を操作することにより点灯する前記ドア部に設けた第１点灯手段とを有し、この第１点灯手段は、前記ドア部に取り付けた光透過性材質のカバーの後にランプを取り付けたもので構成すると共に、前記容器本体側に設けた前記電源と前記ドア部側に設けた前記押ボタン部材及び第１点灯手段との間を前記ヒンジ装置内を通した導線で電気的に接続させたものである。
【０００６】
請求項２の発明は、前記カバーを、その表面にキャラクター人形かその他の人形を表示したものにするか、或はキャラクター人形かその他の人形を模って形成したものにすることによって、より興趣を湧かしめ、冷蔵庫玩具単体として楽しむことができるようにしたものである。
【０００７】
請求項３の発明は、前記押ボタン部材を、キャラクター人形かその他の人形を表示するか。或はキャラクター人形かその他の人形を模って形成することによって、さらに興趣を湧かしめ、冷蔵庫玩具単体として楽しむことができるようにしたものである。
【０００８】
請求項４の発明は、前記押ボタン部材を、キャラクター人形かその他の人形を表示するか。或はキャラクター人形かその他の人形を模って形成することによって、さらに興趣を湧かしめ、冷蔵庫玩具単体として楽しむことができるようにしたものである。
【０００９】
【発明の実施の形態】
以下にこの発明の一実施の形態を詳細に説明する。図面において、指示記号Ａはこの発明に係る冷蔵庫玩具を示し、指示記号１はこの冷蔵庫玩具Ａの容器本体を示す。この容器本体１は略中央部に設けた中央仕切板２によって上部収納部３と下部収納部４に分けた枠体１ａと、この枠体１ａの後部を塞ぐ裏蓋体１ｂとから成り、中央仕切板２から上方はその後部を縦仕切板５によって裏蓋体１ｂとの間を仕切ってある。尚、指示記号２ｂは保持板である。上部収納部３内はさらに２段の棚板６，７によって仕切られると共に、下部収納部４内は引出し用仕切板８によって上下方向にさらに仕切られ、２個の引出し９，１０が前後方向へ出し入れ可能に取り付けられている。
【００１０】
容器本体１の上部収納部３を塞ぐべく、ドア部１１が枠体１ａの一側にヒンジ装置１２を介して片観音開きに開閉可能に取り付けられている。このドア部１１は、表板１３と裏板１４を所定間隔を空けて重ね合わせて構成した二重構造となっており、表板１３側の上部には、光透過性材質の樹脂プレートで作ったカバー１５が取り付けられ、このカバー１５は例えばキャラクター人形を模ってあり正面側に突出している。尚、このキャラクター人形はこれをその他の人、動物等の人形、或は虫等を模ったものでも良く、これらのものの姿、形をカバー上へ表示したものであっても良い。勿論、このプレート１５は人形等を模ったり、表示したりしたものでなくとも良い。さらに、表板１３の一側端には取手１６が取り付けられると共に、下部側に位置して図１と図５と図７に示したように、３組の第１スイッチ装置１７，１８，１９が設置されている。この各第１スイッチ装置１７，１８，１９は、表板１３に設けた取付孔１３ａ，１３ｂ，１３ｃに前後動可能に取り付けられているスイッチプレート１７ａ，１８ａ，１９ａと、この各スイッチプレート１７ａ，１８ａ，１９ａの取付部に取り付けた断面略ラッパ状を呈したゴム製の弾性部材１７ｂ，１８ｂ，１９ｂと、この弾性部材１７ｂ，１８ｂ，１９ｂの先端側の少し奥まった部分に取り付けた例えば導電ゴム製の可動スイッチ片１７ｃ，１８ｃ，１９ｃと、裏板１４に取り付けられ、各弾性部材１７ａ，１８ａ，１９ａの先端面が接触している回路基板２０の図示してないプリント配線から成る各スイッチ回路から構成されている。
【００１１】
この可動スイッチ片１７ｃ，１８ｃ，１９ｃは通常の状態では、回路基板２０の各スイッチ回路には接していないが、各スイッチプレート１７ａ，１８ａ，１９ａを押圧すると、弾性部材１７ｂ，１８ｂ，１９ｂが収縮し、かつその先端がひしゃげてスイッチ片１７ｃ，１８ｃ，１９ｃが回路基板２０の図示してないスイッチ回路に当接し、該スイッチ回路を導通させるものである。
次に、図５に示したように、表板１３の裏側でプレート１５に対向する位置には、ネオンランプその他のランプから成る第１点灯手段２１が取り付けられており、この第１点灯手段２１は導線２１ａを介して回路基板２０に接続されている。さらに、回路基板２０からは、図８に示したように、導線２０ａ，２０ｂがそれぞれ別系統で引き出され、ヒンジ装置１２内を介して枠体１ａの裏側の後述する電源と鳴音発生装置へと接続されている。
【００１２】
ドア部１１の裏板１４には、図３と図８に示したように、さらに収納棚部１４ａ，１４ｂが上下２段に渡って設けられると共に、ドア部１１の自由端側には係止片１１ａが取り付けられている。この係止片１１ａは枠体１ａの一側に設けた孔部１ｂ内に設置した図示してない係止手段によって係止されると共に、この係止片１１ａで図６に示したような第２スイッチ装置２２を動作させるものである。この第２スイッチ装置２２は、枠体１ａの内側に設けた可動スイッチ片２２ａと、固定スイッチ片２２ｂとから成り、係止片１１ａで可動スイッチ片２２ａを押してドア部１１の開閉操作に伴い第２スイッチ装置２２を動作させるものである。
【００１３】
図２と図５に示したように、枠体１ａの縦仕切板５と裏蓋１ｂとの間には、例えば電池による電源２３と鳴音発生装置２４が収納設置されている。尚、指示記号２３ａは、電池蓋である。さらに、図５と図８に示したように、縦仕切板５の上部には、表側に面して第２スイッチ装置２２でＯＮ、ＯＦＦさせる、例えばＬＥＤのような発光ランプから成る第２点灯手段が設置されている。
【００１４】
さらに、引出し９，１０の後部には、とくに図５に示したように、上方にストッパー片９ａ，１０ａが立設されており、この引出し９，１０を下部収納部４から引き出した時に、中央仕切板２と引出し用仕切板８に設けた段部２ａ，８ａと係合して、引出し９，１０が表側へ抜け出ないように工夫されると共に、引出し用仕切板８と枠体１ａの底板１ｃの各上部には、引出しの滑りを良くするためのリブ８ｂ，１ｄが二条ずつ所定間隔を空けて設けられている。
【００１５】
図４は、冷蔵庫へ収納させるさまざまな種類の飲食料材を模した飲食料材玩具７を示し、指示記号７ａは卵、７ｂは牛乳パック、７ｃはジュース等の缶、７ｄはマヨネーズの入れ物、７ｅは氷入れ、７ｆはプリンの容器、７ｇはエビフライの容器、７ｈはソーダ水のボトル、７ｉはピラフの容器、７ｊはアップルパイの容器、７ｋはハンバーグの容器、７ｌはスナック菓子の容器、７ｍはクッキーの容器等をそれぞれ表している。
【００１６】
この発明に係る冷蔵庫玩具Ａは、各棚板６，７、上部収納部３、各引出し部５，６、及び各収納棚部１４ａ，１４ｂ内に、上述したような飲食料材玩具７を出し入れ可能に収納できるように構成されており、例えば上部収納部３の上段の棚板６上には、図３と図８に示したように、氷入れ７ｅが収納され、下段の棚板７上にはプリンの容器７ｆやピラフの容器７ｉが収納され、さらに、ドア部１１側の上段の収納棚部１４ａには卵のパック７ｂが、下段の収納棚部４には、牛乳パック７ｂやジュース缶７ｃ、ソーダ水のボトル７ｈ、マヨネーズの入れ物７ｄ等が収納されている。さらに、各引出し９，１０には、その他のアップルパイの容器７ｊやハンバーグの容器７ｋやスナック菓子の容器７ｍ等が収納されているの。したがって、ドア部１１を取手１６を持って開き、或は取手９ｂ，１０ｂを持って引出し９，１０を引出して、これらの各飲食料材玩具７を冷蔵庫玩具Ａより出し入れして楽しむものである。
【００１７】
そして、ドア部１１を開くと、図６に示したように、係止片１１ａによる押圧力を解かれた可動スイッチ片２２ａが元位置に戻って、もう一方の固定スイッチ片２２ｂと接触することによって、第２スイッチ装置２２が動作し、縦仕切板５の上部に設置した第２点灯手段２５が点灯して上部収納部３内を明るくし照明する。ドア部１１を閉じると係止片１１ａが可動スイッチ片２２ａを押して第２スイッチ装置をＯＦＦさせ、さらに枠体１ａ側に設けた図示してない係合部と係合して、ドア部１１を閉成状態で保持する。
【００１８】
ドア部１１が閉じた状態において、各スイッチプレート１７，１８，１９のどれかを押すと、上述したように回路基板２０のスイッチ回路のどれかがＯＮされ、そのスイッチプレート１７，１８，１９に対応した鳴音（音楽、動物の鳴き声を含む）が鳴音発生装置２４より所定時間発声させられる。同時にカバー１５が第１点灯手段２１の点灯によって光る。鳴音発生装置２４より発声させる音は、各スイッチプレート１７，１８，１９に表示され、或は型取られた動物の鳴き声であっても良いし、音楽であっても良いし、その他の音声によるアナウンスであっても良い。第１点灯手段２１はこれを所定時間の点滅しない点灯、或は点滅のどちらかであっても良い。第１点灯手段にはネオンランプの他に、ＬＥＤランプ、白熱ランプ等の公知のランプを用いることができる。第２点灯手段２５にもＬＥＤランプの他に白熱ランプ、ネオンランプ、その他の公知のランプを用いることができる。第１及び第２スイッチ装置１７，１８，１９及び２２は、上述した実施の形態のもの以外に例えばフォトインターラプターを始めとする各種公知のスイッチ装置を用いることができる。
【００１９】
【発明の効果】
この発明は以上のように構成したので、人形を用いて台所遊びをする際に、補助玩具として用いることができる上に、この冷蔵庫玩具だけを遊びの対象としても、ドア部や引出しを開けて、内部に収納した飲食料材玩具の出し入れを行って台所遊びを楽しむことができ、ドア部を開くと第２点灯手段が点灯し、上部収納部内部が照明され、さらにスイッチプレートを押すと、さまざまな音声や音楽が鳴音発生装置より発声氏、第１点灯手段が点するので、冷蔵庫玩具単体としても充分に遊びの対象として楽しむことができるものである。
【図面の簡単な説明】
【図１】この発明に係る冷蔵庫玩具の斜視図である。
【図２】この発明に係る冷蔵庫玩具の背面図である。
【図３】この発明に係る冷蔵庫玩具の使用状態説明図である。
【図４】この発明に係る冷蔵庫玩具の収納用玩具の斜視図である。
【図５】この発明に係る冷蔵庫玩具の側断面図である。
【図６】この発明に係る冷蔵庫玩具のスイッチ装置の部分の説明図である。
【図７】この発明に係る冷蔵庫玩具を回路基板の部分で割った平面断面図である。
【図８】この発明に係る冷蔵庫玩具のドア部の部分の配線状態を説明する説明図である。
【符号の説明】
Ａ  冷蔵庫玩具
１  容器本体
１ａ  枠体
２  中央仕切板
３  上部収納部
４  下部収納部
６，７  棚板
８  引出し用仕切板
９  引出し
１０  引出し
１１  ドア部
１１ａ  係止片
１２  ヒンジ装置
１３  表板
１４  裏板
１４ａ，１４ｂ  収納棚部
１５  カバー
１７，１８，１９  第１スイッチ装置
２０  回路基板
２１  第１点灯手段
２２  第２スイッチ装置
２３  電源
２４  鳴音発声装置
２５  第２点灯手段
【図１】
0003553922.tif 000002
【図２】
0003553922.tif 000003
【図３】
0003553922.tif 000004
【図４】
0003553922.tif 000005
【図５】
0003553922.tif 000006
【図６】
0003553922.tif 000007
【図７】
0003553922.tif 000008
【図８】
0003553922.tif 000009